(57)【要約】【課題】本発明には、レンズモジュールが提供される。【解決手段】鏡筒、レンズ群、及び位置決めブロックを備え、鏡筒は、第１筒壁及び第２筒壁を含み、レンズ群は少なくとも１つの第１レンズを含み、第１レンズは、本体部及び周辺部を含み、周辺部は第１筒壁に対向して設置されており、周辺部は、対向して設置された物体側面及び像側面と、物体側面と像側面を接続する接続面とを含み、第１筒壁の第１レンズに近い側から周辺部から離れた方向へ第１溝が凹んで形成されており、物体側面から像側面に向かって第２溝が凹んで形成されており、第１溝の第２溝における正投影は第２溝と重なり合っており、かつ第１溝は第２溝とともに収容空間を構成し、位置決めブロックは、第１筒壁が周辺部にローリング接続されるように収容空間内に係止されている。従来技術に比べて、本発明のレンズモジュールは、構造が簡単で、調整が容易でかつ確実性が良好である。【選択図】図２
2020086443.tif 000002
【特許請求の範囲】
【請求項１】
鏡筒と、前記鏡筒内に収容されかつ光軸を有するレンズ群とを備え、前記鏡筒は、光通過孔が開設された第１筒壁と、前記第１筒壁の縁から光軸方向に沿って像側に向かって折り曲げて延びる第２筒壁とを含み、前記レンズ群は少なくとも１つの第１レンズを含み、前記第１レンズは、結像領域としての本体部と、前記本体部を取り囲んで外へ延びる周辺部とを含み、前記周辺部は前記第１筒壁に対向して設置されており、前記周辺部は、対向して設置された物体側面及び像側面と、前記物体側面と前記像側面を接続する接続面とを含むレンズモジュールであって、前記第１筒壁の前記第１レンズに近い側から前記周辺部から離れた方向へ第１溝が凹んで形成されており、前記物体側面から前記像側面に向かって第２溝が凹んで形成されており、前記第１溝の前記第２溝における正投影は前記第２溝と重なり合っており、かつ前記第１溝は前記第２溝とともに収容空間を構成し、前記レンズモジュールは位置決めブロックをさらに備え、前記位置決めブロックは、前記第１筒壁が前記周辺部と間隔をあけて設置されるように前記収容空間内に係止されていることを特徴とするレンズモジュール。
【請求項２】
前記位置決めブロックはボールであり、前記第１溝及び前記第２溝はいずれも円弧状の構造であることを特徴とする請求項１に記載のレンズモジュール。
【請求項３】
前記ボールは前記周辺部の周方向に沿って対称的に設置されていることを特徴とする請求項２に記載のレンズモジュール。
【請求項４】
前記ボールは等間隔に設置されていることを特徴とする請求項３に記載のレンズモジュール。
【請求項５】
前記第１溝は複数ありかつ互いに間隔をあけて設置されており、前記第２溝の数は前記第１溝と一致するように設定され、対向して設置された前記第１溝は前記第２溝とともに１つの収容空間を構成し、前記ボールは複数あり、かつそれぞれのボールは前記収容空間ごとに係止されていることを特徴とする請求項２に記載のレンズモジュール。
【請求項６】
前記レンズ群は、前記第１レンズの像側に設置された第２レンズをさらに含み、前記レンズモジュールは、前記第１レンズと前記第２レンズとの間に介在する遮光シートをさらに備えることを特徴とする請求項１に記載のレンズモジュール。
【請求項７】
前記遮光シートはプレス成形により形成されていることを特徴とする請求項６に記載のレンズモジュール。
【請求項８】
前記接続面は前記第２筒壁に当接していることを特徴とする請求項１に記載のレンズモジュール。
【発明の詳細な説明】
【技術分野】
【０００１】
本発明は、光学結像分野に関し、特に、撮影製品の分野に適用されるレンズモジュールに関する。
【背景技術】
【０００２】
科学技術の絶え間ない発展に伴い、電子機器は絶え間なくスマート化へ発展しつつある。ユーザが随時写真を撮ることができるという需要を満たすように、デジタルカメラの以外、タブレットＰＣ、携帯電話等の携帯型の電子機器にも撮影機能を有するレンズモジュールが配置されている。
【０００３】
従来技術のレンズモジュールは、鏡筒とレンズ群とを備え、前記鏡筒内に収容空間を有し、前記レンズ群は前記収容空間内に収容かつ固定されており、前記鏡筒は、光通過孔が開設された第１筒壁と、前記第１筒壁の縁から光軸方向に沿って像側に向かって折り曲げて延びる第２筒壁とを含み、前記レンズ群は少なくとも１つのレンズを含み、前記レンズは、結像領域としての本体部と、前記本体部を取り囲んで外へ延びる周辺部とを含み、前記第１筒壁が前記周辺部に覆設されている。
【０００４】
しかしながら、従来技術では、前記鏡筒と前記レンズ群を組み立てる過程において、前記第１筒壁は前記周辺部に直接に貼り合わせるため、変形が生じやすく、同時に前記鏡筒と前記レンズ群との合わせ、成形の難度を大きくし、これは前記レンズモジュールの光学性能と確実性を損なってしまう。
【０００５】
したがって、上記問題を解決するために、新たなレンズモジュールを提供する必要がある。
【発明の概要】
【発明が解決しようとする課題】
【０００６】
本発明は、構造が簡単で、調整が容易でかつ確実性が良好であるレンズモジュールを提供することを目的とする。
【課題を解決するための手段】
【０００７】
上記の目的を達成するために、本発明には、鏡筒と、前記鏡筒内に収容されているレンズ群と、位置決めブロックとを備え、前記鏡筒は、光通過孔が開設された第１筒壁と、前記第１筒壁の縁から光軸方向に沿って像側に向かって折り曲げて延びる第２筒壁とを含み、前記レンズ群は少なくとも１つの第１レンズを含み、前記第１レンズは、結像領域としての本体部と、前記本体部を取り囲んで外へ延びる周辺部とを含み、前記周辺部は前記第１筒壁に対向して設置されており、前記周辺部は、対向して設置された物体側面及び像側面と、前記物体側面と前記像側面を接続する接続面とを含み、前記第１筒壁の前記第１レンズに近い側から前記周辺部から離れた方向へ第１溝が凹んで形成されており、前記物体側面から前記像側面に向かって第２溝が凹んで形成されており、前記第１溝の前記第２溝における正投影は前記第２溝と重なり合っており、かつ前記第１溝は前記第２溝とともに収容空間を構成し、前記位置決めブロックは、前記第１筒壁が前記周辺部と間隔をあけて設置されるように前記収容空間内に係止されているレンズモジュールが提供される。
【０００８】
好ましくは、前記位置決めブロックはボールであり、前記第１溝及び前記第２溝はいずれも円弧状の構造である。
【０００９】
好ましくは、前記ボールは前記周辺部の周方向に沿って対称的に設置されている。
【００１０】
好ましくは、前記ボールは等間隔に設置されている。
【００１１】
好ましくは、前記第１溝は複数ありかつ互いに間隔をあけて設置されており、前記第２溝の数は前記第１溝と一致するように設定され、対向して設置された前記第１溝は前記第２溝とともに１つの収容空間を構成し、前記ボールは複数あり、かつそれぞれのボールは前記収容空間ごとに係止されている。
【００１２】
好ましくは、前記レンズ群は、前記第１レンズの像側に設置された第２レンズをさらに含み、前記レンズモジュールは、前記第１レンズと前記第２レンズとの間に介在する遮光シートをさらに備える。
【００１３】
好ましくは、前記遮光シートはプレス成形により形成されている。
【００１４】
好ましくは、前記接続面は前記第２筒壁に当接している。
【００１５】
従来技術に比べて、本発明のレンズモジュールにおいて、第１筒壁の内側と第１レンズの周辺部の物体側に近い側のいずれにも溝構造が設置されており、２箇所の前記溝構造は向かい合って設置されており、２箇所の前記溝からなる空間内に位置決めブロックが設けられ、前記位置決めブロックは前記第１筒壁が前記周辺部と間隔をあけて設置されるように前記収容空間内に係止されている。当該構造を有するレンズモジュールは、組み立てる過程において、第１筒壁と周辺部に一定の隙間があるため、組立変形を低減するとともに、鏡筒とレンズ群との合わせ、成形の難度を低下させることができ、同時に、レンズモジュールは係止するための位置決めブロックのみを追加したため、構造が簡単で、調整も容易になり、最終的にレンズモジュールの光学性能及び確実性を良好にすることができる。
【図面の簡単な説明】
【００１６】
本発明における実施例の技術方案をより明確に説明するために、以下で実施例の記載に使用される図面について簡単に説明する。明らかに、下記の図面は本発明の幾つかの実施例に過ぎないが、進歩性のある労働をせずにこれらの図面に基づいて他の図面を得ることもできることは、当業者にとっては容易なことである。
【図１】本発明のレンズモジュールの構成模式図である。
【図２】図１におけるＡで示される部分の拡大図である。
【発明を実施するための形態】
【００１７】
以下、本発明の実施例における図面を参照しながら、本発明の実施例における技術方案を明確かつ完全に説明する。明らかに、記載された実施例は、本発明の一部の実施例に過ぎず、すべての実施例ではない。当業者が本発明の実施例に基づいて進歩性のある労働をしない前提で得られたすべての他の実施例は、いずれも本発明の保護範囲に入る。
【００１８】
図１〜図２に示されるように、本発明には、鏡筒１と、前記鏡筒１内に物体側から像側まで順次に収容されている第１レンズ２及び第２レンズ３と、前記第１レンズ２と第２レンズ３との間に介在する遮光シート４と、ボール５とを備えるレンズモジュール１００が提供される。
【００１９】
前記鏡筒１は、光通過孔が開設された第１筒壁１２と、前記第１筒壁１２の縁から光軸方向に沿って像側に向かって折り曲げて延びる第２筒壁１１とを含む。
【００２０】
前記レンズモジュール１００は少なくとも第１レンズ２を備え、本実施形態では、２枚のレンズを例として説明するが、それは３枚以上のレンズを備えてもよく、その原理は同じであり、任意のレンズモジュールに適用されることができる。
【００２１】
前記第１レンズ２は結像領域としての本体部２１と、前記本体部２１を取り囲んで外へ延びる周辺部２２とを含む。
【００２２】
前記本体部２１は、結像するために球面構造や非球面構造等の円弧状の構造をなし、前記周辺部２２は承接するためのものである。
【００２３】
同じように、前記第２レンズ３は、結像領域としての第２本体部３１と、前記第２本体部３１から外へ延びる第２周辺部３２とを含む。
【００２４】
前記周辺部２２は、前記第１筒壁１２に対向して設置されており、前記周辺部２２は対向して設置された物体側面２２１及び像側面２２２と、前記物体側面２２１と前記像側面２２２を接続する接続面２２３とを含む。
【００２５】
本実施形態では、前記接続面２２３は前記第２筒壁１１に当接し、即ち、前記周辺部２２と前記第２筒壁１１との間は完全に貼り合わせている。
【００２６】
前記第１筒壁１２の前記第１レンズ２に近い側から前記周辺部２２から離れた方向へ第１溝１２１が凹んで形成されており、前記物体側面２２１から前記像側面２２２に向かって第２溝２２４が凹んで形成されており、前記第１溝１２１の前記第２溝２２４における正投影は前記第２溝２２４と重なり合っており、かつ前記第１溝１２１は前記第２溝２２４とともに収容空間１０を構成し、収容空間１０内には、位置決めブロックが収容されている。
【００２７】
前記位置決めブロックはボール５であり、前記ボール５は、前記第１筒壁１２が前記周辺部２２と間隔をあけて設置されるように前記収容空間１０内に係止されている。第１筒壁１２と周辺部２２との間に隙間があることによって、鏡筒とレンズ群との組み立ての合わせ、成形の難度を低下させることができ、組立変形を低減し、組み立ての良品率を向上させることができる。置決めブロックは、第１筒壁１２と周辺部２２の間は互いに押し出さないように収容空間１０内に収容されることができれば、ローラ又は他の構造であってもよい。
【００２８】
具体的には、前記収容空間１０を構成する前記第１溝１２１及び前記第２溝２２４はいずれも円弧状の構造であり、前記ボール５は前記周辺部２２の周方向に対称的に設置されている。当該ローリング接続構造により、レンズモジュール全体の安定性をより強くすることができる。
【００２９】
より好ましくは、前記ボール５は等間隔に設置されている。レンズモジュール全体の安定性をさらに向上させる。
【００３０】
もちろん、前記第１溝１２１は複数ありかつ互いに間隔をあけて設置されており、前記第２溝２２４の数は前記第１溝１２１と一致するように設定され、対向して設置された前記第１溝１２１は前記第２溝２２４とともに１つの収容空間１０を構成し、前記ボール５は複数あり、かつそれぞれのボール５は前記収容空間１０ごとに係止されていてもよい。増加した当該複数のローリング接続構造により、鏡筒とレンズ群の組み立てる過程における組立変形をより好適に低減するとともに、鏡筒とレンズ群との組み立ての合わせ、成形の難度を低下させ、レンズモジュール全体の安定性を向上させることができる。
【００３１】
また、前記レンズモジュール１００は、前記周辺部２２と前記第２周辺部３１との間に介在する遮光シート４をさらに備え、前記遮光シート４が迷光を改良することに用いられることによって、前記レンズモジュール１００の光学性能をより良好にする。
【００３２】
具体的には、前記遮光シート４はプレス成形を採用し、当該プレス成形は、生産効率が高く、製品の再現性が優れているとともに、品質が安定している。
【００３３】
従来技術に比べて、本発明のレンズモジュールにおいて、第１筒壁の内側と第１レンズの周辺部の物体側に近い側のいずれにも溝構造が設置されており、２箇所の前記溝構造は向かい合って設置されており、２箇所の前記溝からなる空間内に位置決めブロックが設けられ、前記位置決めブロックは前記第１筒壁が前記周辺部と間隔をあけて設置されるように前記収容空間内に係止されている。当該構造を有するレンズモジュールは、組み立てる過程において、第１筒壁と周辺部に一定の隙間があるため、組立変形を低減するとともに、鏡筒とレンズ群との合わせ、成形の難度を低下させることができ、同時に、レンズモジュールは係止するための位置決めブロックのみを追加したため、構造が簡単で、調整も容易になり、最終的にレンズモジュールの光学性能及び確実性を良好にすることができる。
【００３４】
以上に説明されたのは、本発明の実施形態に過ぎず、当業者にとっては、本発明の発明的思想から逸脱しない限り、さらに改良することができ、これらの改良も本発明の保護範囲に含まれると理解すべきである。
【図１】
2020086443.tif 000003
【図２】
2020086443.tif 000004
【手続補正書】
【提出日】令和2年2月27日(2020.2.27)
【手続補正１】
【補正対象書類名】特許請求の範囲
【補正対象項目名】請求項１
【補正方法】変更
【補正の内容】
【請求項１】
鏡筒と、前記鏡筒内に収容されかつ光軸を有するレンズ群とを備え、前記鏡筒は、光通過孔が開設された第１筒壁と、前記第１筒壁の縁から光軸方向に沿って像側に向かって折り曲げて延びる第２筒壁とを含み、前記レンズ群は少なくとも１つの第１レンズを含み、前記第１レンズは、結像領域としての本体部と、前記本体部を取り囲んで外へ延びる周辺部とを含み、前記周辺部は前記第１筒壁に対向して設置されており、前記周辺部は、対向して設置された物体側面及び像側面と、前記物体側面と前記像側面を接続する接続面とを含むレンズモジュールであって、前記第１筒壁の前記第１レンズに近い側から前記周辺部から離れた方向へ第１溝が凹んで形成されており、前記物体側面から前記像側面に向かって第２溝が凹んで形成されており、前記第１溝の前記第２溝における正投影は前記第２溝と重なり合っており、かつ前記第１溝は前記第２溝とともに収容空間を構成し、前記レンズモジュールは位置決めブロックをさらに備え、前記位置決めブロックは、前記第１筒壁が前記周辺部と間隔をあけて設置されるように前記収容空間内に係止され、前記接続面は前記第２筒壁に当接し、前記位置決めブロックの直径は前記第１溝及び前記第２溝の直径より小さいことを特徴とするレンズモジュール。